(57)【要約】【課題】 エレベータのスペースを有効に利用し得るトイレを備えたエレベータの非常用ボックスを提供する。【解決手段】エレベータのゴンドラに収納ボックス２を設け、収納ボックス２に腰掛け用の便座３を備えたトイレ４を折り畳み自在に収納したことを特徴とする。便座３は、未使用時には収納ボックス２に垂直の状態で収納され、使用時に収納ボックス２から水平に突出する構成となっている。トイレ４は、便座３を支持する本体部５を有し、本体部５も未使用時には収納ボックス２に収納され、使用時に収納ボックス２から引き出される構成となっている。【選択図】  図１
2008081224.tif 000002
【特許請求の範囲】
【請求項１】
エレベータのゴンドラに収納ボックスを設け、該収納ボックスに腰掛け用の便座を備えたトイレを折り畳み自在に収納したことを特徴とするエレベータの非常用ボックス。
【請求項２】
便座は、未使用時には収納ボックスに垂直の状態で収納され、使用時に収納ボックスから水平に突出する構成となっている請求項１に記載のエレベータの非常用ボックス。
【請求項３】
トイレは、前記便座を支持する本体部を有し、該本体部も未使用時には収納ボックスに収納され、使用時に収納ボックスから引き出される構成となっている請求項１又は２に記載のエレベータの非常用ボックス。
【請求項４】
便座の前端は本体部の上端と回転自在に連結され、便座の後端は収納ボックスに設けられたガイドに沿って上下方向に移動自在となっており、本体部の引出動作に連動して便座の前端が前方に迫り出すと共に後端が下方に移動して立体的な椅子形状となり、本体の収納動作に連動して便座の後端が上方に移動して垂直の収納状態に移行する構成となっている請求項３に記載のエレベータの非常用ボックス。
【請求項５】
トイレは伸縮自在の汚物受けを備え、未使用時には収縮状態で収納ボックス内に収納され、使用時に伸張させて便座の下方に開口させる構成となっていることを特徴とする請求項１乃至４のいずれかの項に記載のエレベータの非常用ボックス。
【請求項６】
収納ボックスはエレベータのコーナー部に設けたことを特徴とする請求項１乃至５のいずれかの項に記載のエレベータの非常用ボックス。
【請求項７】
収納ボックスには、トイレを収納するトイレ収納部以外に、防災用品が収納される防災用品収納部が設けられている請求項１乃至６のいずれかの項に記載のエレベータの非常用ボックス。
【請求項８】
収納ボックスには非常灯が設けられている請求項１乃至７のいずれかの項に記載のエレベータの非常用ボックス。
【請求項９】
収納ボックスには、通信情報機器が設けられている請求項１乃至８のいずれかの項に記載のエレベータの非常用ボックス。
【発明の詳細な説明】
【技術分野】
【０００１】
本発明は、 地震等の災害発生時あるいは停電や故障等によってエレベータに閉じこめられた際に用いることができるエレベータの非常用ボックスに関し、特に簡易なトイレを備えたものに関する。
【背景技術】
【０００２】
停電や故障等によって長時間エレベータに閉じこめられる事故が頻発している。
閉じこめられる時間が長時間に渡る場合もあり、たとえば特許文献１に記載のように、エレベータに設置する簡易トイレが考案されている。    
この簡易トイレは、据え置き型で、普段は椅子として利用可能となっていた。
【０００３】
しかし、特許文献１に記載の簡易トイレでは、据え置き型であり、狭いエレベータの中では乗り降りの邪魔となる。
【特許文献１】特開２００６−０８７９６４
【発明の開示】
【発明が解決しようとする課題】
【０００４】
本発明は上記した従来技術の問題を解決するためになされたもので、その目的は、エレベータのスペースを有効に利用し得るトイレを備えたエレベータの非常用ボックスを提供することにある。
【課題を解決するための手段】
【０００５】
上記目的を達成するために、本発明は、エレベータのゴンドラに収納ボックスを設け、該収納ボックスに腰掛け用の便座を備えたトイレを折り畳み自在に収納したことを特徴とする。
便座は、未使用時には収納ボックスに垂直の状態で収納され、使用時に収納ボックスから水平に突出する構成となっていることを特徴とする。
トイレは、前記便座を支持する本体部を有し、該本体部も未使用時には収納ボックスに収納され、使用時に収納ボックスから引き出される構成となっていることが好適である。
【０００６】
また、便座の前端は本体部の上端と回転自在に連結され、便座の後端は収納ボックスに設けられたガイドに沿って上下方向に移動自在となっており、本体部の引出動作に連動して便座の前端が前方に迫り出すと共に後端が下方に移動して立体的な椅子形状となり、本体の収納動作に連動して便座の後端が上方に移動して垂直の収納状態に移行する構成となっていることが好ましい。
また、トイレは伸縮自在の汚物受けを備え、未使用時には収縮状態で収納ボックス内に収納され、使用時に伸張させて便座の下方に開口させる構成となっていることを特徴とする。
収納ボックスはエレベータのコーナー部に設けることが効果的である。
収納ボックスには、トイレを収納するトイレ収納部以外に、飲料水，薬箱，毛布等、各種防災用品が収納される防災用品収納部を設けておくことが望ましい。
収納ボックスには非常灯が設けられていることが好ましい。
また、ラジオ，テレビ等の通信情報機器が設けられていることが望ましい。
【発明の効果】
【０００７】
本発明によれば、トイレが折り畳み式で、普段はエレベータの壁面に沿って配置された収納ボックスに収納されているので、乗降の邪魔にならず、エレベータのスペースを有効利用できる。
便座は、未使用時には収納ボックスに垂直の状態で収納されるようにすれば、一層の省スペース化を図ることができる。
便座を支持する本体部についても、収納ボックスに収納するようにすれば、より一層の省スペース化を図ることができる。
また、本体の収納動作に連動して便座を移動させるようにすれば、取り扱いがきわめて簡単にできる。
【０００８】
また、伸縮自在の汚物受けを備えることにより、収納ボックス自体の大きさを最小限にすることができる。
特にエレベータのコーナー部はデッドスペースであり、このコーナー部を有効利用することにより、邪魔にならずにトイレを配置することができる。
収納ボックスには、トイレを収納するトイレ収納部以外に、飲料水，薬箱，毛布等、各種防災用品を収納しておくことにより、非常時に備えて多様に対応をとることができる。
また、非常灯があれば、電気が消えた場合も安心であるし、ラジオ，テレビ等の通信情報機器を設けておくことにより、外部の情報を得ることができ、パニックに陥ることを回避することができる。
【発明を実施するための最良の形態】
【０００９】
以下に本発明を図示の実施例に基づいて詳細に説明する。
図１は、本発明のエレベータ用非常用ボックスの構成を示している。
図において、１は非常用ボックス全体を示すもので、エレベータのゴンドラ１００内に収納ボックス２が設けられ、この収納ボックス２に腰掛け用の便座３を備えたトイレ４が折り畳み自在に収納されている。
収納ボックス２は、横断面が直角三角形状の上下方向に延びる三角筒形状で、デッドスペースとなっているゴンドラ１００の一つのコーナー部Ｃに配置される。コーナー部Ｃはデッドスペースであり、このコーナー部Ｃを有効利用することにより、邪魔にならずに収納ボックス２を配置することができる。
【００１０】
収納ボックス２を固定する方法としては、図５（Ａ），（Ｂ）に示すように、ゴンドラ１０の壁面にフック１１１を備えた固定具１１２を取り付け、このフック１１１に収納ボックス２に設けた係合穴１１３を引っ掛けて固定するようにしてもよいし、収納ボックス２の上端と天井部分との間に突っ張り部材１１４を配置して床面と天井の間に挟み込むように固定してもよい。このようにすれば、既存のエレベータに対して、後付けで容易に設置することが可能である。
収納ボックス２は、図１（Ａ），（Ｄ）に示すように、下方に配置されるトイレ収納部１０と、トイレ収納部１０の上方に配置される防災用品収納部２０と備えている。
トイレ４は、便座３と、便座３を支持する本体部５と、汚物受け部６と、を備えている。
【００１１】
便座３は板状部材で、収納時には収納ボックス２に垂直の状態で収納され、使用時に収納ボックス２から水平に突出する構成となっている。この例では、収納時には断面三角形状の収納ボックス２の前面に垂直に配置され、収納ボックス２の前壁を構成している。このように、収納状態ではデッドスペースとなるコーナー部Ｃに垂直状態に配置されるので、邪魔になることはなく、しかも便座３の幅は三角形状のコーナー部Ｃの最大幅である斜辺のほぼ全長さ分の寸法を確保できるので、狭い収納空間で最大の座面幅を確保することができる。なお、便座３には、Ｕ字形状の切り欠き３１が設けられているが、丸穴を設けるようにしてもよい。
本体部６も板状部材で、収納時には収納ボックス２に収納され、使用時に収納ボックス２から引き出される構成となっている。収納時には便座３と同様に収納ボックス２の前面に配置され、収納ボックス２の前壁を構成する。また、便座３と本体部６の境界部には、手掛け部８が設けられている。
【００１２】
この実施例では、図２（Ｃ）に示すように、便座３の前端３ａは本体部５の上端とは回転自在に連結され、便座３の後端３ｂは収納ボックス２に設けられた垂直ガイド１１に沿って上下方向に移動自在となっている。本体部５を手前に引き出すと、引出動作に連動して便座３の前端３ａが前方に迫り出すと共に後端３ｂが垂直ガイド１１に沿って下方に移動して立体的な椅子形状となる。本体部５を押し込むと、押し込み動作に連動して便座の前端３ｂが後方に移動し、便座３の後端３ｂが上方に移動して垂直の収納状態に移行する。
図示例では、便座３が水平となる位置にて、便座３の後端３ｂが直線ガイドの下端位置に当接するようになっているが、他の場所に便座３の位置決めをするためのストッパを設けておいてもよい。
【００１３】
また、本体部５は、図２及び図３に示すように、収納ボックス２に対して左右一対のリンク機構７によって前後に移動自在に連結されている。
このリンク機構７は、くの字形状に屈曲する一対の連結リンク７１が、左右に上下一対ずつ平行に設けられている。
各連結リンク７１は、互いに揺動自在に枢支連結される前リンク７２と後リンク７３とから構成され、前リンク７２の前端が本体部５に揺動自在に枢支連結され、後リンク７３の後端が収納ボックス２の左右両端に位置する支柱部２ａに揺動自在に枢支連結されている。支柱部２ａは、収納ボックス２の前方から見て左右の角部に設けられる。図示例では、収納時には前リンク７２と後リンク７３が上方に屈曲し、引き出した際には水平にほぼ直線状に延びる。前リンク７２と後リンク７３の一方、この例では後リンク７３の前端にはストッパ７４が突出しており、水平状態でストッパ７４に係合してそれ以上開かない構成となっている。
【００１４】
一方、汚物受け部６は、図２（Ａ），（Ｂ）に示すように、蛇腹形状の伸縮自在に構成され、その前端６ａが本体部５に取り付けられ、後端６ｂが収納ボックス２に取り付けられている。収納状態では汚物受け部６は前後に収縮された状態で、本体部５の引き出し動作によって汚物受け部６の前端部６ａが前方に引き出され前後に伸ばされて大きく開く。
汚物受け部６の材質としては、吸水性の素材、たとえば、紙おむつに使用される高吸水性ポリマー等が使用される。汚物受け部６は取り外し自在としておき、紙おむつのように新しいものと取り替えて使用するようにすれば、衛生的である。
また、特に図示はしないが、トイレ周辺を覆うカーテンを設けても良い。カーテンはカーテンレールに吊り下げるような構成としてもよいし、収納ボックスから支持棒が突出するような構成とし、この支持棒に引っ掛けるような構成としてもよく、種々の取付方法が適用可能である。
カーテンは、予め吊り下げていてもよいし、収納しておいてもよい。収納する場合には防災用品収納部２０に収納してもよいし、トレイ収納部１０に収納する形態でもよい。また、ブランケットをカーテンと兼用するような構成としてもよい。その場合には、ブランケットにレールあるいは棒等の吊り下げ具が係合するような係合穴等の係合部を設けておけばよい。
【００１５】
次に防災用品収納部２０について説明する。
防災用品収納部２０はトイレ収納部１０の上方に設置されるもので、複数の棚２１が組まれ、複数の収納部に区分けされている。この防災用品収納部２０には、適宜、扉が取り付けられる。
図示例では、図１（Ｄ），図４に示すように、飲料水２２、救急箱２３、さらにブランケット２４が収納されている。
飲料水２２としては、図４（Ａ）に示すように、既存のペットボトル２２ａを使用してもよいが、収納ボックスの断面形状が三角形なので、隙間ができる。そこで、三角形状に合わせて図４（Ｂ）に示すように専用ボトル２２′を使用すれば、狭いスペースを効率良く利用することができる。
【００１６】
また、停電で内部の照明が消えると真っ暗になるので、非常用のランプ２５が取り付けられている。スイッチの位置を夜光塗料等によって認識できるようにしておけば、非常時に点灯することができる。
さらに、情報が遮断されるので、ラジオ，テレビ等の通信情報機器２６を設置しておけば安心である。非常用のランプ２５及びスピーカ２７は収納ボックスの上端に設けられる。
防災用品としては、飲料水，救急箱，ブランケットに限定されるものではなく、保存食、カイロ、懐中電灯、ホイッスル等、種々のものを収納可能である。
【００１７】
次に本発明のエレベータの非常用ボックスのトイレの使用方法について説明する。
通常は、本体部５は収納ボックス２の前面位置まで押し込まれており、便座３は垂直状態となっている。
使用する場合には、手掛け部８に手を掛けて本体部５を手前に引き出す。停電で見えない場合には、非常用のランプ２５を点灯する。
本体部５を引き出すと、それに連動して便座３の下端（前端３ａ）が前方にせり出すと共に上端（後端３ｂ）が下方に移動し、便座３が水平状態となって立体的な椅子となる。一方、内部の汚物受け部６は伸びて大きく開き、汚物を受け止めることができる。
【００１８】
なお、本発明の非常用ボックスは、通常のエレベータの点検時など、定期的に点検することで、非常時に備えることができる。非常時に使用するものなので、いたずら防止用に封印等をしておけば、点検時にいたずらされたかどうかを確認することができる。
なお、上記実施例では便座３と本体部５を連動する構成としたが、連動しない構成、たとえば、便座３を非常用ボックス側にヒンジを介して開閉自在に取付、本体部を引き出した後に便座を開くようにしてもよいし、その他、種々の構成を適用することが可能である。
また、非常用ボックスの設置場所として、デッドスペースとなるコーナー部に設置したが、コーナー部に限定されず、壁際のどの場所に配置してもよい。また、壁に沿った位置に限定されず、場合によっては、ゴンドラの天井部や床等に収納部を設けてもよいし、さらにゴンドラの壁に対して外側に取り付けるような構成としてもよい。
また、非常用ボックスを後から設置するのではなく、エレベータのゴンドラ自体に、ゴンドラの一部として予め作り付けの構成としてもよい。
【図面の簡単な説明】
【００１９】
【図１】図１は本発明の一実施例に係るエレベータの非常用ボックスを示すもので、（Ａ）は概略斜視図、（Ｂ）は設置場所の平面図、（Ｃ）はトイレを引き出した状態の斜視図、（Ｄ）はトイレ収納部と防災用品収納部の配置関係を示す概略図である。
【図２】図２（Ａ），（Ｂ）は汚物受け部の伸縮状態を示す説明図、（Ｃ）は便座と本体部の連動機構を示す概略斜視図である。
【図３】図３（Ａ），（Ｂ）は便座と本体部の連動機構の動作状態を示す説明図、（Ｃ）は（Ａ）の上面図である。
【図４】図４（Ａ）乃至（Ｅ）は防災用品収納部の各種配置構成を示す図である。
【図５】図５（Ａ），（Ｂ）は本発明の非常用ボックスを固定する固定具の説明図、同図（Ｃ）は本発明の非常用ボックスの他の固定方法の説明図である。
【符号の説明】
【００２０】
１  非常用ボックス
２  収納ボックス
３  便座
３ａ  前端、３ｂ  後端
４  トイレ
５  本体部
６  汚物受け部
７  リンク機構
７１  連結リンク、７２  前レバー、７３  後レバー、７４  ストッパ
８  手掛け部
１１  垂直ガイド
１０  トイレ収納部
２０  防災用品収納部
２１  棚
２２  飲料水、２３  救急箱、２４  ブランケット
２５  非常用のランプ
２６  通信情報機器
１００  ゴンドラ
１１１  フック
１１２  固定具
１１３  係合穴
１１４  突っ張り部材
Ｃ  コーナー部
【図１】
2008081224.tif 000003
【図２】
2008081224.tif 000004
【図３】
2008081224.tif 000005
【図４】
2008081224.tif 000006
【図５】
2008081224.tif 000007